(57)【特許請求の範囲】
【請求項１】
複数のページを有する文書におけるページの画像を表示する表示手段と、前記表示手段に対するタッチ後のスライド操作に応じて、ページの切り替え表示を制御する制御手段とを有する画像表示装置において、
前記表示手段は、表示対象のページの画像の一部又は全部と、当該ページに先行するページを部分的に折り返した態様の画像を表示し、
前記先行するページに係る画像は、スライド操作とは逆方向の画像部分をスライド操作の方向に折り返した態様であるとともに、前記表示対象のページの画像は、スライド操作とは逆方向に移動させた位置に表示され、
前記表示対象のページの画像を表示する位置は、ページの切り替え表示を開始した後におけるタッチ中の位置の移動に追従して変化する、
ことを特徴とする画像表示装置。
【請求項２】
前記表示対象のページの画像は、拡大して表示される、
ことを特徴とする請求項１に記載の画像表示装置。
【請求項３】
前記制御手段は、ページの切り替え表示を開始した後は、タッチされている間はページの切り替え表示を継続する、
ことを特徴とする請求項１又は請求項２に記載の画像表示装置。
【請求項４】
コンピュータに、
複数のページを有する文書におけるページの画像を表示手段に表示させる表示機能と、前記表示手段に対するタッチ後のスライド操作に応じて、ページの切り替え表示を制御する制御機能とを実現させるためのプログラムであって、
前記表示機能は、表示対象のページの画像の一部又は全部と、当該ページに先行するページを部分的に折り返した態様の画像を前記表示手段に表示させ、
前記先行するページに係る画像は、スライド操作とは逆方向の画像部分をスライド操作の方向に折り返した態様であるとともに、前記表示対象のページの画像は、スライド操作とは逆方向に移動させた位置に表示され、
前記表示対象のページの画像を表示する位置は、ページの切り替え表示を開始した後におけるタッチ中の位置の移動に追従して変化する、
ことを特徴とするプログラム。
【発明の詳細な説明】
【技術分野】
【０００１】
本発明は、画像表示装置及びプログラムに関する。
【背景技術】
【０００２】
コンピュータで管理されている電子文書（以下、単に「文書」という）をユーザに認識させる方法として、各々の文書のサムネイル画像を表示パネルに表示する方法がある。このサムネイル画像としては、一般に、文書中の先頭ページの画像を予め定められたサイズに縮小した画像が用いられる。この場合、ユーザは、サムネイル画像を見て、当該サムネイル画像に係る文書の先頭ページを把握し、各々の文書を判別することになる。
【０００３】
ここで、上記のような文書のサムネイル表示に関連して、これまでに種々の発明が提案されている。
例えば、特許文献１には、文書の各ページに重要度情報を付加し、重要度の最も高いページをサムネイル画像とする発明が開示されている。
例えば、特許文献２には、サムネイルの画像レイアウトとして、ひとつだけ画像を拡大して表示させる領域を設け、その領域でページめくり可能にした発明が開示されている。
例えば、特許文献３には、パラパラめくり形式の画像表示方法や操作方法の発明が開示されている。
【先行技術文献】
【特許文献】
【０００４】
【特許文献１】特開２０１０−１２８５１８号公報
【特許文献２】特開２０１０−０４９４７５号公報
【特許文献３】特開２０１０−２０４８９１号公報
【発明の概要】
【発明が解決しようとする課題】
【０００５】
本発明は、文書のサムネイル等としてページの画像を表示する際の文書の判別性を高めることが可能な技術を提案することを目的とする。
【課題を解決するための手段】
【０００６】
請求項１に係る本発明は、複数のページを有する文書におけるページの画像を表示する表示手段と、前記表示手段に対するタッチ後のスライド操作に応じて、ページの切り替え表示を制御する制御手段とを有する画像表示装置において、前記表示手段は、表示対象のページの画像の一部又は全部と、当該ページに先行するページを部分的に折り返した態様の画像を表示し、前記先行するページに係る画像は、スライド操作とは逆方向の画像部分をスライド操作の方向に折り返した態様であるとともに、前記表示対象のページの画像は、スライド操作とは逆方向に移動させた位置に表示され、前記表示対象のページの画像を表示する位置は、ページの切り替え表示を開始した後におけるタッチ中の位置の移動に追従して変化する、ことを特徴とする画像表示装置である。
【０００８】
請求項２に係る本発明は、請求項１に係る本発明において、前記表示対象のページの画像は、拡大して表示される、ことを特徴とする画像表示装置である。
【０００９】
請求項３に係る本発明は、請求項１又は請求項２に係る本発明において、前記制御手段は、ページの切り替え表示を開始した後は、タッチされている間はページの切り替え表示を継続する、ことを特徴とする画像表示装置である。
【００１０】
請求項４に係る本発明は、コンピュータに、複数のページを有する文書におけるページの画像を表示手段に表示させる表示機能と、前記表示手段に対するタッチ後のスライド操作に応じて、ページの切り替え表示を制御する制御機能とを実現させるためのプログラムであって、前記表示機能は、表示対象のページの画像の一部又は全部と、当該ページに先行するページを部分的に折り返した態様の画像を前記表示手段に表示させ、前記先行するページに係る画像は、スライド操作とは逆方向の画像部分をスライド操作の方向に折り返した態様であるとともに、前記表示対象のページの画像は、スライド操作とは逆方向に移動させた位置に表示され、前記表示対象のページの画像を表示する位置は、ページの切り替え表示を開始した後におけるタッチ中の位置の移動に追従して変化する、ことを特徴とするプログラムである。
【発明の効果】
【００１１】
請求項１，４に係る本発明によれば、文書のサムネイル等としてページの画像を表示する際の文書の判別性を、本発明を適用しない場合に比べて高めることができる。また、実際に文書をページ捲りしているかのような態様の表示を行うことができるとともに、長辺捲りや短辺捲りといったページ捲りの方向についても表現することができる。更には、表示対象のページの視認性を高めることができる。
【００１２】
また更に、請求項１，４に係る本発明によれば、長辺捲りや短辺捲りといったページ捲りの方向を随時変化させることができる。
請求項２に係る本発明によれば、表示対象のページの内容を確認し易くなる。
請求項３に係る本発明によれば、ページ切り替え表示をどの程度続けるかをユーザが容易に制御できる。
【図面の簡単な説明】
【００１３】
【図１】本発明の一実施形態に係るサムネイル表示装置の機能ブロックの例を示す図である。
【図２】実施例１に係るフローチャートの例を示す図である。
【図３】実施例１に係るページ切り替え制御の例を示す図である。
【図４】実施例２に係るページ切り替え制御の例を示す図である。
【図５】実施例３に係るページ切り替え制御における移動表示の例を示す図である。
【図６】実施例３に係るページ切り替え制御における追従移動の例を示す図である。
【図７】実施例３に係るページ切り替え制御における拡大表示の例を示す図である。
【図８】実施例４に係るページ切り替え制御におけるページ比較の例を示す図である。
【図９】実施例４に係るページ切り替え制御における相違ページ検出時の例を示す図である。
【発明を実施するための形態】
【００１４】
本発明の一実施形態について、図面を参照して説明する。
なお、以下では、本発明に係る画像表示装置の一例であるサムネイル表示装置を、文書の印刷・複写・ファクシミリといった複数の機能を複合的に備えた複合機に設けた構成を例に挙げて説明する。
【００１５】
図１には、本発明の一実施形態に係るサムネイル表示装置の機能ブロックの例を示してある。
本例のサムネイル表示装置は、表示パネル１、タッチパネル２、データ記憶部３、サムネイル表示部４、操作検出部５、ページ切り替え制御部６等の機能部を有する。
【００１６】
表示パネル１は、各種の情報を表示出力する面状のパネルである。表示パネル１としては、例えば、液晶パネルが用いられる。
タッチパネル２は、表示パネル１に対してその表示面に重ねて設けられる面状の透明パネルであり、タッチ位置（物体の接触位置）を検出してその信号を出力する機能を有する。タッチパネル２としては、抵抗膜方式や静電容量方式といった種々の動作原理のものを用いることができる。
【００１７】
データ記憶部３は、文書の識別情報（例えば、文書名）により識別される文書のデータを記憶する。文書のデータとしては、例えば、文書中のページ毎に、そのページ内容を構成する要素であるテキスト、図形、画像等の情報を保持する構造のデータが用いられる。
また、データ記憶部３は、各々の文書のデータに関連付けて、その文書中の各ページのサムネイル画像を記憶する。サムネイル画像は、ページ毎にそのページ内容を画像化したものであり、予め定められたサイズ（例えば、縦横９０ピクセルに収まるサイズ）に縮小した画像が用いられる。文書のデータに対するサムネイル画像の関連付けは種々の手法で行うことができ、例えば、サムネイル画像に文書の識別情報を付す手法や、文書のデータにサムネイル画像を含める手法などがある。
【００１８】
サムネイル表示部４は、データ記憶部３に記憶されている複数の文書について、サムネイル画像を表示パネル１に表示させる。サムネイル画像の表示は、図３等に例示するように、各々の文書における一のページのサムネイル画像をマトリクス状に配置した表示形式で行なわれる。ここで、表示対象となるページは、初期状態では文書中の先頭のページが用いられ、後述するページ切り替え制御によって後続のページに順次切り替えられる。
【００１９】
操作検出部５は、タッチパネル２から出力されるタッチ位置の信号に基づいて、表示パネル１の表示内容に対するユーザのタッチ操作を検出する。
ページ切り替え制御部６は、特定のユーザ操作が操作検出部５により検出されたことに応じて、ページ切り替え制御を行う。ここで、特定のユーザ操作とは、表示パネル１に表示されたサムネイル画像をタッチした状態からのスライド操作である。また、ページ切り替え制御では、表示パネル１によるサムネイル画像の表示対象となる文書中のページを順番に切り替えていく。これらの詳細については、下記の実施例にて説明する。
【実施例１】
【００２０】
実施例１では、サムネイル画像をタッチした状態から、当該サムネイル画像を外れる領域までのスライド操作を検出したことに応じて、ページ切り替え制御を行う。
図２には、実施例１に係るフローチャートの例を示してある。また、図３には、実施例１に係るページ切り替え制御の例を示してある。
【００２１】
まず、サムネイル表示部４により、複数の文書のサムネイル画像が表示パネル１に表示される（ステップＳ１１）。この時点は初期状態なので、各文書の先頭のページのサムネイル画像が表示される。
初期状態において、ユーザがサムネイル画像の表示に対してタッチを行うと、タッチパネル２からタッチ位置の信号が出力される。この信号に基づき、操作検出部５により、サムネイル画像の表示にタッチした状態が判定される（ステップＳ１２）。
そして、サムネイル画像の表示にタッチした状態の経過時間（タッチ時間）が閾値時間Ｔ以上となった場合に、当該サムネイル画像の文書についてのプレビューモードに移行する（ステップＳ１３）。
【００２２】
プレビューモードに移行すると、まず、ページ切り替え制御部６により、ページ切り替えの開始指示に用いる領域Ｒ１として、タッチされたサムネイル画像の表示領域以外の領域（タッチされたサムネイル画像を外れる領域）が設定され、ページ切り替えの停止指示に用いる領域Ｒ１として、タッチされたサムネイル画像の表示領域内が設定される（ステップＳ１４）。
【００２３】
次に、プレビューモードにおいて、操作検出部５により、サムネイル画像の表示にタッチした状態からのスライド操作が判定される（ステップＳ１５）。
そして、領域Ｒ１へのスライド操作が検出された場合に、ページ切り替え制御部６によりページ切り替え制御が開始される（ステップＳ１７）。すなわち、図３に例示するように、ページ切り替えの対象となる文書（サムネイル画像の表示をタッチされた文書）について、サムネイル画像の表示対象のページが、一定時間毎に、１ページ目（先頭のページ）、２ページ目、３ページ目といった順番で自動的に切り替えられていく。
【００２４】
また、ページ切り替え制御の開始後に領域Ｒ２へのスライド操作が検出された場合に、ページ切り替え制御部６によりページ切り替え制御が一時的に停止され（ステップＳ１８）、その後、更に領域Ｒ１へのスライド操作が検出された場合に、ページ切り替え制御部６によりページ切り替え制御が再開される（ステップＳ１７）。
また、タッチの検出が途絶えた場合（ユーザの指等がタッチパネル１から離れた場合）には、プレビューモードを終了し（ステップＳ１６）、初期状態に戻る。
【００２５】
このようなページ切り替え制御を行うことで、以下のような効果が得られる。
すなわち、従来のように先頭ページのサムネイル画像のみを表示する方式では、先頭ページに表紙を付けたような文書の場合には文書間の特徴的な違いが失われ、先頭ページのサムネイル画像を見るだけでは文書の判別が困難であったのに対し、本例のページ切り替え制御によれば、サムネイル画像の表示対象となる文書中のページを順番に切り替えることができるので、文書の判別性が高められる。
また、入力デバイスとして最近よく使用されるタッチパネルでは、サムネイル画像（或いは付属された指示ボタンの画像）を指でタッチしてページ捲り指示を行う手法の場合には、タッチした指によってサムネイル画像が隠れてしまいかねないのに対し、本例のページ切り替え制御によれば、ページ捲り時には指がサムネイル画像から外れた領域に位置することから、サムネイル画像が指によって隠されることがなく、サムネイル画像の視認性が高まるので、文書の判別性の向上につながる。
また、本例のページ切り替え制御によれば、ページ捲り開始領域Ｒ２へのスライド操作が維持されている間は自動的にページを切り替えていくので、ユーザはページ単位の切り替え指示を行う必要がなく、操作が簡易である。
【００２６】
ここで、本例のページ切り替え制御では、ページの切り替え間隔（時間）を、サムネイル画像の境界（領域Ｒ１と領域Ｒ２の境目）からのスライド操作の距離に応じて変化させるようにしている。すなわち、サムネイル画像の境界からのスライド操作の距離が短いほどページの切り替え間隔を長く設定（換言すれば、サムネイル画像の境界からのスライド操作の距離が長いほどページの切り替え間隔を短く設定）する。このため、ユーザは、所望のページ切り替え速度への調整を簡易に行うことができる。
【実施例２】
【００２７】
実施例２では、サムネイル画像をタッチした状態から、閾値以上の距離のスライド操作を検出したことに応じて、ページ切り替え制御を行う。以下では、実施例１と同じ部分については説明を省略し、主な相違部分についての説明に留める。
【００２８】
図４には、実施例２に係るページ切り替え制御の例を示してある。
図４の例では、サムネイル画像の左辺部分をタッチした状態から行なわれた右方向へのスライド操作の距離が閾値（例えば、幅方向の１／２の距離）以上となった場合や、サムネイル画像の上辺部分をタッチした状態から行なわれた下方向へのスライド操作の距離が閾値（例えば、高さ方向の１／２の距離）以上となった場合に、ページ切り替え制御を行っている。すなわち、ページ切り替え制御を開始する契機となるスライド操作が、実施例１とは異なるが、実施例２においてもユーザはページ単位の切り替え指示を行う必要がなく、操作が簡易である。
【００２９】
なお、スライド操作の方向は上記の内容に限定するものではなく、例えば、サムネイル画像の右辺部分をタッチした状態から行なわれた左方向へのスライド操作や、サムネイル画像の下辺部分をタッチした状態から行なわれた上方向へのスライド操作によってページ切り替え制御を行うようにしてもよい。
また、どのような値を閾値に用いるかは任意であり、指等によるサムネイル画像の隠れ具合などを考慮して定めればよく、ユーザが見える範囲を或る程度確保することが可能な値を用いることが好ましい。
【００３０】
ここで、実施例１では単純にサムネイル画像のページを順番に切り替えていくだけであったが、実施例２では、図４に例示するように、表示対象のページのサムネイル画像の一部と、当該ページに先行するページを部分的に折り返した態様のサムネイル画像を表示する。これにより、実際に紙文書をページ捲りしているかのような態様の表示とすることができる。
【００３１】
また、先行するページのサムネイル画像については、スライド操作とは逆方向の画像部分をスライド操作の方向に折り返した態様とする。すなわち、例えば、右方向へのスライド操作の場合には左側の画像部分を右方向に折り返した態様とし、下方向へのスライド操作の場合には上側の画像部分を下方向に折り返した態様とする。これにより、長辺捲りや短辺捲りといったページ捲りの方向についても表現することができる。
【００３２】
また、ページの切り替え間隔（時間）については、サムネイル画像に対するタッチ位置からのスライド操作の距離（最初のタッチ位置からスライド操作後のタッチ位置までの距離）に応じて変化させる。すなわち、サムネイル画像に対するタッチ位置からのスライド操作の距離が短いほどページの切り替え間隔を長く設定（換言すれば、サムネイル画像に対するタッチ位置からのスライド操作の距離が長いほどページの切り替え間隔を短く設定）する。このため、ユーザは、所望のページ切り替え速度への調整を簡易に行うことができる。
【実施例３】
【００３３】
実施例３は、実施例２の変形例であり、ページ切り替え制御における表示対象のページのサムネイル画像の表示位置を移動する。以下では、実施例２と同じ部分については説明を省略し、主な相違部分についての説明に留める。
【００３４】
図５には、実施例３に係るページ切り替え制御における移動表示の例を示してある。
図５の例では、サムネイル画像の左辺部分をタッチした状態から行なわれた右方向へのスライド操作の場合には、表示対象のサムネイル画像を左方向へ移動させ、サムネイル画像の上辺部分をタッチした状態から行なわれた下方向へのスライド操作の場合には、表示対象のサムネイル画像を上方向へ移動させている。すなわち、実施例３では、表示対象のサムネイル画像をスライド操作とは逆方向に移動させた位置に表示する。このような移動表示により、指等によるサムネイル画像の表示の阻害が軽減され、表示対象のページの視認性が高められる。
【００３５】
なお、表示対象のサムネイル画像をどの程度移動させるかは任意であり、サムネイル画像の全体が表示される位置まで移動させても構わない。すなわち、例えば、指等のタッチ位置を特定し、当該タッチ位置にサムネイル画像が重ならない位置まで移動させるようにしてもよい。
【００３６】
ここで、図６に例示するように、表示対象のページのサムネイル画像を表示する位置を、ページ切り替え制御の開始後の更なるスライド操作に追従して変化させるようにしてもよい。すなわち、例えば、サムネイル画像の左辺部分をタッチした状態から行なわれた右方向へのスライド操作の場合には、表示対象のサムネイル画像を初期位置から左方向へ移動させた位置に表示するが、その後、更に、サムネイル画像の下方向へのスライド操作が行なわれた場合に、表示対象のサムネイル画像を初期位置から上方向へ移動させた位置に表示する、という具合である。なお、サムネイル画像の移動方向としては、例えば、サムネイル画像の中心位置に対するスライド操作後のタッチ位置の方向を特定して、これとは逆方向に設定すればよい。
【００３７】
また、図７に例示するように、表示対象のページのサムネイル画像を拡大（例えば、縦横をそれぞれ２倍ずつ）して表示するようにしてもよく、これにより、表示対象のページの内容を確認し易くなる。なお、どの程度の大きさまで拡大するかは任意であり、表示パネル１の大きさ等を考慮して定めればよい。なお、サムネイル画像の表示の拡大を無条件に行うのではなく、ユーザからの指示（例えば、予め定められたキー（シフトキーやコントロールキーなど）の押下）に応じて行うようにしてもよい。
【実施例４】
【００３８】
実施例４は、実施例２（或いは実施例３）の拡張例であり、複数の文書についてサムネイル画像のページ切り替え制御を行いながらページ内容を比較する。以下では、実施例２（或いは実施例３）と同じ部分については説明を省略し、主な相違部分についての説明に留める。
【００３９】
図８には、実施例４に係るページ切り替え制御におけるページ比較の例を示してある。
実施例４では、操作検出部５は、タッチパネル２に対する複数のタッチ操作を検出可能となっている。そして、複数の文書のサムネイル画像について、サムネイル画像をタッチした状態からの閾値以上の距離のスライド操作が検出されたことに応じて、これら複数の文書についてページ切り替え制御部６によるページ切り替え制御を実行する。このとき、ページ切り替え制御部６は、互いの文書に係るサムネイル画像を比較し、これらが一致する場合にはページ切り替え制御を継続し、一致しない場合にはページ切り替え制御を停止するようにする。すなわち、複数の文書のサムネイル画像が順次切り替えられていき、相違するページが見つかった時点でページ切り替えが停止する。これにより、ユーザは、複数の文書を互いに比較して内容が異なるページを見つけ出す作業を容易に行える。
【００４０】
ここで、図９に例示するように、互いのサムネイル画像が一致せずにページ切り替え制御を停止した場合に、当該停止時点の各々のサムネイル画像を拡大して表示するようにしてもよい。これにより、ページ比較により見つけ出されたた異なるページの内容を確認し易くなる。
または、複数の文書のサムネイル画像についてのページ切り替え制御の実行中は、常に、各々のサムネイル画像を拡大して表示するようにしてもよい。これにより、ユーザはページ比較の様子を確認し易くなる。
【００４１】
以上、実施例１〜４を挙げて説明したように、本例のサムネイル表示装置では、複数のページを有する文書について、当該文書に含まれるページの画像を予め定められたサイズに縮小したサムネイル画像を表示パネル１に１ページずつ表示するサムネイル表示部４と、表示パネル１に重ねて設けられたタッチパネル２から出力されるタッチ位置の信号に基づいて、表示パネル１に表示されたサムネイル画像をタッチした状態からのスライド操作を検出する操作検出部５と、操作検出部５により上記のスライド操作が検出されたことに応じて、サムネイル表示部４によるサムネイル画像の表示対象となる文書中のページを順番に切り替えていくページ切り替え制御を行うページ切り替え制御部６と、を備えた構成とした。
【００４２】
このため、ユーザは、サムネイル画像をタッチした状態からのスライド操作を行うという簡易な操作を行うだけで、当該サムネイル画像に係る文書中の各ページのサムネイル画像を順番に確認することが可能になり、サムネイル表示における文書の判別性が高められる。したがって、例えば、複数の文書の一覧表示を各文書のサムネイル画像を用いて行う環境において、各文書のサムネイル画像を参照してユーザが所望の文書を見つけ出す作業の効率性を高めることができる。
【００４３】
ここで、本例のサムネイル表示装置は、各種演算処理を行うＣＰＵ（Ｃｅｎｔｒａｌ  Ｐｒｏｃｅｓｓｉｎｇ  Ｕｎｉｔ）、ＣＰＵの作業領域となるＲＡＭ（Ｒａｎｄｏｍ  Ａｃｃｅｓｓ  Ｍｅｍｏｒｙ）や基本的な制御プログラムなどを記録したＲＯＭ（Ｒｅａｄ  Ｏｎｌｙ  Ｍｅｍｏｒｙ）等の主記憶装置、各種のプログラムやデータを記憶する補助記憶装置、各種の情報を表示出力する表示パネル等の出力機器及び操作者により入力操作に用いられる操作ボタンやタッチパネル等の入力機器とのインタフェースである入出力Ｉ／Ｆ、他の装置との間で有線又は無線により通信を行うインタフェースである通信Ｉ／Ｆ、といったハードウェア資源を有するコンピュータにより構成されている。
【００４４】
そして、本発明に係るプログラムを補助記憶装置等から読み出してＲＡＭに展開し、これをＣＰＵにより実行させることで、本発明に係る画像表示装置の機能をコンピュータ上に実現している。
なお、本例のようなソフトウェア構成により各機能部を実現するのではなく、各機能部を専用のハードウェアモジュールで実現するようにしてもよい。
【００４５】
ここで、以上の説明では、複合機に設けられたサムネイル表示装置を例にしたが、本発明はこのような態様に限定するものではなく、種々の機器に設けられるサムネイル表示装置に対して適用することができる。特に、携帯電話端末等の小型の機器にタッチパネルを設けた構成の場合には、ユーザに複雑な操作を要求すると誤操作の原因になりかねないところ、本例のサムネイル表示装置によれば簡易な操作で自動的なページ切り替えを行なえるので効果的である。
【００４６】
また、以上の説明では、ページの切り替えを先頭のページから末尾のページへ向かうページ順で切り替えているが、これとは逆に、末尾のページから先頭のページへ向かうページ順で切り替えるようにしてもよい。また、ページ切り替えの最中に、ユーザからの指示（例えば、予め定められたキー（シフトキーやコントロールキーなど）の押下）に応じて、ページ順を逆順に変更するようにしてもよい。
【符号の説明】
【００４７】
１：表示パネル、  ２：タッチパネル、  ３：データ記憶部、  ４：サムネイル表示部、  ５：操作検出部、  ６：ページ切り替え制御部。
【図１】
0006512249.tif 000002
【図２】
0006512249.tif 000003
【図３】
0006512249.tif 000004
【図４】
0006512249.tif 000005
【図５】
0006512249.tif 000006
【図６】
0006512249.tif 000007
【図７】
0006512249.tif 000008
【図８】
0006512249.tif 000009
【図９】
0006512249.tif 000010